(57)【要約】【課題】記録データより記録媒体の記録可能領域が小さい場合、分割した領域の優先度を判別して優先度の高い領域を優先的に記録することが可能な記録装置を提供する。【解決手段】１ページ内の画像全体の記録領域毎に優先度を設定し、画像全体が記録媒体内に収まらないと判断された場合、記録領域の優先度に基づき、優先度の高い領域の画像が欠けることのないように、優先度の高い領域の記録位置の変更、または、優先度の低い領域の記録サイズの変更、の少なくとも一方を行う。【選択図】図１３
2008194880.tif 000002
【特許請求の範囲】
【請求項１】
記録媒体に画像を記録する記録方法であって、
１ページ内の画像全体の記録領域のサイズをページサイズとして取得するステップと、
記録媒体のサイズを記録媒体サイズとして検出するステップと、
前記１ページの画像全体を複数の異なる優先度を持った領域に分割するステップと、
前記ページサイズと前記記録媒体サイズとに基づいて画像全体が記録媒体内に収まるか否かを判断するステップと、
画像全体が記録媒体内に収まらないと判断された場合、優先度の高い領域の画像が欠けることのないように、優先度の高い領域の記録位置の変更、または、優先度の低い領域の記録サイズの変更、の少なくとも一方を行うステップと
を備えたことを特徴とする記録方法。
【請求項２】
１ページ内の画像全体を複数の領域に分割するとともに、特定の領域に高い優先度を設定し、１ページの記録に先立って、優先度の高い領域の記録データの一部が欠けて記録されてしまうと確認された場合、優先度の高い領域の記録データが欠けることのないように、優先度の低い領域の記録データの一部を欠落させて記録することを特徴とする記録方法。
【請求項３】
１ページ内の画像全体を複数の領域に分割するとともに、特定の領域に高い優先度を設定し、１ページの記録に先立って、優先度の高い領域の記録データの一部が欠けて記録されてしまうと確認された場合、優先度の高い領域の記録データが欠けることのないように、優先度の高い領域を優先度の低い領域と入れ替えて記録することを特徴とする記録方法。
【請求項４】
１ページ内の画像全体を複数の領域に分割するとともに、特定の領域に高い優先度を設定し、１ページの記録に先立って、優先度の高い領域の記録データの一部が欠けて記録されてしまうと確認された場合、優先度の高い領域の記録データが欠けることのないように、優先度の低い領域の記録データを縮小して記録することを特徴とする記録方法。
【請求項５】
記録媒体に画像を記録する記録装置であって、
１ページ内の画像全体の記録領域のサイズをページサイズとして取得するページサイズ取得手段と、
記録媒体のサイズを記録媒体サイズとして検出する記録媒体サイズ検出手段と、
前記１ページの画像全体を複数の異なる優先度を持った領域に分割する領域分割手段と、
前記ページサイズと前記記録媒体サイズとに基づいて画像全体が記録媒体内に収まるか否かを判断し、画像全体が記録媒体内に収まらないと判断された場合、優先度の高い領域の画像が欠けることのないように、優先度の高い領域の記録位置の変更、または、優先度の低い領域の記録サイズの変更、の少なくとも一方を行う記録手段と
を備えたことを特徴とする記録装置。
【請求項６】
１ページ内の画像全体を複数の領域に分割する領域分割手段と、
前記領域分割手段により分割した領域毎に優先度を設定する優先度設定手段と、
記録媒体のサイズを検出する記録媒体サイズ検出手段と、
前記記録媒体サイズ検出手段で検出した記録媒体サイズ情報を基に、１ページの記録データの全てが欠けることなく記録可能であるか否かを確認する確認手段と、
前記確認手段により記録データの一部が欠けて記録されてしまうと確認された場合、前記優先度設定手段により設定されている領域毎の優先度を基に、優先度の高い領域の記録データが欠けることのないように、優先度の低い領域の記録データの一部を欠落させて記録する記録手段と
を備えたことを特徴とする記録装置。
【請求項７】
１ページ内の画像全体を複数の領域に分割する領域分割手段と、
前記領域分割手段により分割した領域毎に優先度を設定する優先度設定手段と、
記録媒体のサイズを検出する記録媒体サイズ検出手段と、
前記記録媒体サイズ検出手段で検出した記録媒体サイズ情報を基に、１ページの記録データの全てが欠けることなく記録可能であるか否かを確認する確認手段と、
前記確認手段により記録データの一部が欠けて記録されてしまうと確認された場合、前記優先度設定手段により設定されている領域毎の優先度を基に、優先度の高い領域の記録データが欠けることのないように、優先度の高い領域を優先度の低い領域と入れ替えて記録する記録手段と
を備えたことを特徴とする記録装置。
【請求項８】
１ページ内の画像全体を複数の領域に分割する領域分割手段と、
前記領域分割手段により分割した領域毎に優先度を設定する優先度設定手段と、
記録媒体のサイズを検出する記録媒体サイズ検出手段と、
前記記録媒体サイズ検出手段で検出した記録媒体サイズ情報を基に、１ページの記録データの全てが欠けることなく記録可能であるか否かを確認する確認手段と、
前記確認手段により記録データの一部が欠けて記録されてしまうと確認された場合、前記優先度設定手段により設定されている領域毎の優先度を基に、優先度の高い領域の記録データが欠けることのないように、優先度の低い領域の記録データを縮小して記録する優先記録手段と
を備えたことを特徴とする記録装置。
【請求項９】
前記記録媒体サイズ検出手段は、記録装置に装着しているセンサからの出力信号を基に記録媒体サイズを検出することを特徴とする請求項６〜８のいずれかに記載の記録装置。
【請求項１０】
前記確認手段は、前記記録媒体サイズ検出手段で検出した記録媒体サイズ情報より余白サイズを減算することにより「記録可能サイズ」を算出し、「記録可能サイズ」と「記録データサイズ」とを比較することにより確認を行うことを特徴とする請求項６〜８のいずれかに記載の記録装置。
【請求項１１】
前記領域分割手段は記録データを記録媒体搬送方向に並ぶ複数の領域に分割することを特徴とする請求項６〜８のいずれかに記載の記録装置。
【請求項１２】
前記記録手段は、優先度の高い領域の記録位置を、所定の記録位置より記録媒体搬送方向の先頭側に変更して記録することを特徴とする請求項６に記載の記録装置。
【請求項１３】
前記領域分割手段は、記録データを、記録媒体搬送方向に対して直交する方向に並ぶ複数の領域に分割することを特徴とする請求項６〜８のいずれかに記載の記録装置。
【請求項１４】
前記記録手段は、優先度の高い領域の記録位置を、記録媒体搬送方向に対して直交する方向において、所定の記録位置より搬送基準側に変更して記録することを特徴とする請求項６〜８のいずれかに記載の記録装置。
【発明の詳細な説明】
【技術分野】
【０００１】
本発明は、記録データをプリントバッファに展開して記録を行う記録方法および記録装置に関する。
【背景技術】
【０００２】
従来、１ページ内の画像全体を複数の領域に分割し、分割した領域毎に優先度を設定することにより、１ページ内の記録データの優先度を判別してエラーや警告等の処理方法を変更する記録装置が提案されている（特許文献１参照）。この記録装置では、記録データより記録媒体の記録可能領域が小さい場合であっても、優先度の高い領域を正常に記録できれば（優先度が低い記録領域を記録できなくても）エラーとして扱わない機能が備えられている。
【０００３】
また、印字データが記録媒体の記録範囲に収まるかを判断し、収まらない場合は印字データを自動変換により拡大／縮小して出力する印字データ処理装置も提案されている（特許文献２参照）。
【特許文献１】特開２００６−４３８９７号公報
【特許文献２】特開平５−１２７８４９号公報
【発明の開示】
【発明が解決しようとする課題】
【０００４】
しかし、上記従来の記録装置では記録データより記録媒体の記録可能領域が小さい場合、分割した領域の中で優先度の高い領域が記録できない場合であっても、記録データを変更することなく記録してしまうという問題があった。
【０００５】
また、上記従来の印字データ処理装置では、記録データより記録媒体の記録可能領域が小さい場合、記録データ全体が自動で縮小される為、重要な情報や、縮小したくない情報や、バーコードのように縮小すると読取り時に問題が発生する可能性がある情報等に関しても無条件に縮小されてしまうという問題があった。
【０００６】
本発明はこのような背景においてなされたものであり、その目的は記録データより記録媒体の記録可能領域が小さい場合、分割した領域の優先度を判別して優先度の高い領域を縮小することなくその全体を優先的に記録することが可能な記録方法および記録装置を提供することである。
【課題を解決するための手段】
【０００７】
本発明による記録方法は、記録媒体に画像を記録する記録方法であって、１ページ内の画像全体の記録領域のサイズをページサイズとして取得するステップと、記録媒体のサイズを記録媒体サイズとして検出するステップと、前記１ページの画像全体を複数の異なる優先度を持った領域に分割するステップと、前記ページサイズと前記記録媒体サイズとに基づいて画像全体が記録媒体内に収まるか否かを判断するステップと、画像全体が記録媒体内に収まらないと判断された場合、優先度の高い領域の画像が欠けることのないように、優先度の高い領域の記録位置の変更、または、優先度の低い領域の記録サイズの変更、の少なくとも一方を行うステップとを備えたことを特徴とする。ここに、優先度の低い領域の「記録サイズの変更」とは、当該領域の画像の一部を欠落させて記録サイズを変更する場合と、当該領域の画像を縮小して記録サイズを変更する場合とを含みうる。
【０００８】
本発明による記録方法は、他の見地によれば、１ページ内の画像全体を複数の領域に分割するとともに、特定の領域に高い優先度を設定し、１ページの記録に先立って、優先度の高い領域の記録データの一部が欠けて記録されてしまうと確認された場合、優先度の高い領域の記録データが欠けることのないように、優先度の低い領域の記録データの一部を欠落させて記録することを特徴とする。
【０００９】
本発明の記録方法は、さらに他の見地によれば、１ページ内の画像全体を複数の領域に分割するとともに、特定の領域に高い優先度を設定し、１ページの記録に先立って、優先度の高い領域の記録データの一部が欠けて記録されてしまうと確認された場合、優先度の高い領域の記録データが欠けることのないように、優先度の高い領域を優先度の低い領域と入れ替えて記録することを特徴とする。
【００１０】
本発明の記録方法は、別の見地によれば、１ページ内の画像全体を複数の領域に分割するとともに、特定の領域に高い優先度を設定し、１ページの記録に先立って、優先度の高い領域の記録データの一部が欠けて記録されてしまうと確認された場合、優先度の高い領域の記録データが欠けることのないように、優先度の低い領域の記録データを縮小して記録することを特徴とする。
【００１１】
いずれの記録方法においても、優先度の高い領域の記録データの一部が欠けて記録されてしまうと確認された場合、優先度の低い領域の記録を犠牲にすることにより、優先度の高い領域は欠落も縮小もすることなくその全体が記録される。
【００１２】
本発明による記録装置は、記録媒体に画像を記録する記録装置であって、１ページ内の画像全体の記録領域のサイズをページサイズとして取得するページサイズ取得手段と、記録媒体のサイズを記録媒体サイズとして検出する記録媒体サイズ検出手段と、前記１ページの画像全体を複数の異なる優先度を持った領域に分割する領域分割手段と、前記ページサイズと前記記録媒体サイズとに基づいて画像全体が記録媒体内に収まるか否かを判断し、画像全体が記録媒体内に収まらないと判断された場合、優先度の高い領域の画像が欠けることのないように、優先度の高い領域の記録位置の変更、または、優先度の低い領域の記録サイズの変更、の少なくとも一方を行う記録手段とを備えたことを特徴とする。
【００１３】
記録媒体に対して余白が設定されている場合には、画像全体が記録媒体内に収まるか否かの判断には当該余白を考慮する。
【００１４】
本発明は、その他、後述するように、上記各記録方法に対応する記録装置として把握することができる。
【００１５】
これらの記録装置の作用は上記の対応する記録方法の作用と同様である。
【発明の効果】
【００１６】
本発明により、記録データより記録媒体の記録可能領域が小さい場合、１ページ内の優先度を判別して優先度の高い領域を縮小することなくその全体を優先的に記録することができるので、エラーとなるケースが減り、生産性の高い記録方法および記録装置を提供することができる。
【発明を実施するための最良の形態】
【００１７】
以下、図面を参照して本発明を実施する最良の形態について詳細に説明する。
【００１８】
＜第１の実施の形態＞
図１に、本実施の形態でにおける、インクジェット方式のライン記録ヘッド（以下「記録ヘッド」という）によるカード記録装置（以下「記録装置」）と、パーソナルコンピュータ（以下「ＰＣ」という）とを接続した記録システムの概略構成図を示す。
【００１９】
記録装置１０６の正面には、その操作および表示を行う操作パネル１１３と、電源ＯＮ／ＯＦＦをコントロールする電源スイッチ１１２と、インク交換や記録媒体の詰まりを解除する等のメンテナンスを行う場合に開閉する本体ドア１１１とが装着されている。また、給紙部１０７には記録媒体を所定サイズにカットした記録媒体１０９がセットされ、排紙部１０８には記録済みの記録媒体１１０が積載されている。
【００２０】
ＰＣ１０１と記録装置１０６とはプリンタケーブル１０５で接続され、記録装置１０６はＰＣ１０１よりプリンタケーブル１０５を介して制御コマンドを受信し処理を行う。
【００２１】
図２に、本実施の形態で使用するＰＣ１０１の概略構成を表したブロック図を示す。
【００２２】
ＰＣ１０１は、入力手段であるキーボード１０３およびマウス１０４とは、バスにより、それぞれキーボードインタフェース２０４およびマウスインタフェース２０５を介して接続され、記録装置１０６とはプリンタインタフェース２０６を介して接続され、表示装置であるＣＲＴ、ＬＣＤ等の表示部１０２とはビデオコントローラ２０３を介して接続されている。
【００２３】
ＰＣ１０１は、ＭＰＵ２００がハードディスク装置（ＨＤＤ）２０２上の記録データ作成アプリケーションソフトを実行することにより、記録データを作成する処理や、ＲＡＭ２０１に記憶されている記録情報を制御コマンドに変換し、プリンタインタフェース２０６を介してプリンタケーブル１０５に出力する処理、等の種々の処理を実行する。
【００２４】
図３に、本実施の形態で使用する記録装置の操作パネル１１３を外観構成を示す。
操作パネル１１３上には、エラー発生を通知する発光部であるエラーＬＥＤ３０２、警告発生を通知する警告ＬＥＤ３０３、電源投入状態等を通知するレディＬＥＤ３０１、エラー解除等を行う為のリセットキー３０４、記録装置の状態を表示する液晶表示部（ＬＣＤ）３００が存在する。
【００２５】
図４に、本実施の形態で使用する記録装置１０６の概略構成を示す断面図を示す。
【００２６】
記録装置１０６は、大別して、給紙部１０７と、記録部１１４と、排紙部１０８とを備えている。
【００２７】
給紙部１０７は、給紙モータ（不図示）の駆動で回転する給紙ローラ４０３により記録媒体１０９を記録部１１４に給紙すると共に、記録媒体サイズと記録媒体位置の検出をする為のＴＯＦ（Top Of Form）センサ４０５を有する。
【００２８】
記録部１１４は、記録媒体１０９を搬送する為の搬送ベルト４００と、インクを吐出させる記録ヘッド４０１と、インクを記録ヘッド４０１に供給するインクタンクユニット４０２と、本体ドアの開閉を検出するドアセンサ４０４とを備えている。
【００２９】
インクタンクユニット４０２は、記録ヘッド４０１とチューブ（不図示）で接続されており、後述する回復モータ６０８を制御することにより記録ヘッド４０１へインクを供給する。
【００３０】
記録時には、搬送する記録媒体１０９の先端位置をＴＯＦセンサ４０５で検出し、検出した位置情報を基に、記録ヘッド４０１から画像形成信号に応じてインクを吐出させ、記録媒体表面にインクを吹き付けて画像を形成する。
【００３１】
図５に、本実施の形態で使用する制御コマンドの構造を示す。
【００３２】
制御コマンドとしては、フォーマットコマンド５１０、イメージデータコマンド５２０、ジョブ開始コマンド５３０が用意されており、ＰＣ１０１はこれらのコマンドをプリンタインタフェース２０６を介してプリンタケーブル１０５に出力する。
【００３３】
図５（ａ）に示したフォーマットコマンド５１０は、コマンドを識別するための識別コード５００に加えて、記録領域のＸ方向サイズである記録領域サイズＸ５０３、記録領域のＹ方向サイズである記録領域サイズＹ５０４、高い優先度の優先領域と優先度の低い領域の区切り位置である優先領域区切り位置５０５、および高優先領域がいずれの領域であるかを指定する高優先領域指定５０６を指定する。ここに、Ｘ方向は記録媒体搬送方向と直交する方向、Ｙ方向は記録媒体搬送方向である。本実施の形態では、記録データを上側と下側の２つの領域に区切り、それぞれに高優先領域／低優先領域の２段階の優先度が指定できる。高優先領域指定５０６が「０」の場合は、優先領域区切り位置５０５で区切られた位置より先端側（記録媒体搬送方向の下流側）が高優先領域であることを示し、「１」の場合は、優先領域区切り位置５０５で区切られた位置より後端側が高優先領域であることを示す。
【００３４】
図５（ｂ）に示したイメージデータコマンド５２０は、印刷対象のイメージを定義するコマンドであり、識別コード５０１に加えて、プリントバッファに展開するイメージデータ５０９と、そのデータ長５０８とを含む。
【００３５】
図５（ｃ）に示したジョブ開始コマンド５３０は、記録装置１０６に対して記録データの終了を示し、ジョブを開始するためのコマンドである。
【００３６】
図６に、本実施の形態における記録装置１０６の電気的な制御に関連した簡易ブロック図を示す。
【００３７】
マイクロプロセッサ（ＭＰＵ）６００は、プログラムＲＯＭ６０１に格納された制御プログラムを実行することにより以下の制御を実現する。
（１）通信制御ドライバ６０４の制御によりＰＣ１０１から出力された制御コマンドを受信する。
（２）受信した制御コマンドのうち、フォーマットコマンド５１０の各種パラメータはＲＡＭ６０２に記憶、イメージデータコマンド５２０はプリントバッファであるＶＲＡＭ６０３に展開し、ジョブ開始コマンド５３０を受信すると記録動作を開始する。
（３）モータドライバ６０５を制御し、給紙モータ６０６、搬送モータ６０７、回復モータ６０８を駆動する。
（４）記録装置の状態に応じて、入出力ポート６１０を介して、エラーＬＥＤ３０２、レディＬＥＤ３０１、警告ＬＥＤ３０３のＯＮ／ＯＦＦ（点灯／消灯）の制御を行ない、ＬＣＤドライバ６１１を制御してＬＣＤ３００にメッセージを表示する。
（５）入出力ポート６１０を介して、周期的にリセットキー３０４、電源スイッチ１１２、本体ドア１１１の入力を監視する。
（６）入出力ポート６１０を制御してＴＯＦセンサ４０５で記録媒体サイズを検出すると共に、検出した記録媒体の先端位置を基準とする記録媒体位置情報に同期して、ヘッド駆動回路６０９を制御することにより、記録ヘッド４０１を駆動しインクを吐出することにより、ＶＲＡＭ６０３に展開されているイメージデータに従って記録媒体に記録する。
【００３８】
図７に、本実施の形態における記録装置による記録媒体７００の記録例を示す。
【００３９】
本実施の形態では図の上方向に記録媒体７００を搬送して記録を行なう。この記録例では、記録面を上下の領域に二分し、下側の領域を金券情報を記録する高優先領域７０２として用い、上側の領域を広告情報を記録する低優先領域７０１としている。
【００４０】
フォーマットコマンド５１０で指定した記録領域サイズＸ５０３は横方向の記録領域ドット数７０３であり、記録領域サイズＹ５０４は縦方向の記録領域ドット数７０４である。
【００４１】
フォーマットコマンド５１０で指定した優先区切り位置５０５は、記録媒体７００の先端から区切り位置までの距離を表し、この例の高優先領域指定（Ｄ）５０６が「１（下側）」の場合、低優先領域７０１の後端のドット位置（＝低優先領域のドット数＝７０１）に一致する。この記録装置では、記録媒体に対して強制的に先端余白７０５と後端余白７０６を設けており、これらの余白領域には記録は行わないようにしている。
【００４２】
図８に、本実施の形態の記録装置におけるＲＡＭ６０２のメモリマップを示す。
【００４３】
ＲＡＭ６０２上には、ＰＣ１０１から受信したコマンドを一時的に格納する受信バッファ８１と、作業ワークエリア８２とが設けられる。作業ワークエリア８２内には、領域Ａ（記録領域サイズＸ）、領域Ｂ（記録領域サイズＹ）、領域Ｃ（優先領域区切り位置）、領域Ｄ（高優先領域指定）、領域Ｅ（記録媒体サイズカウント）、領域Ｆ（記録可能サイズ）、領域Ｇ（記録媒体位置情報）、領域Ｈ（第１記録ライン番号）、領域Ｉ（第１記録ライン数）、領域Ｊ（第２記録ライン番号）、領域Ｋ（第２記録ライン数）が設けられる。第１記録ライン番号は、区切り位置を境界にした記録媒体先端側の領域に記録する記録データの先頭のラインを指定するパラメータであり、第１記録ライン数はその領域で記憶するライン数を指定するパラメータである。第２記録ライン番号は記録媒体後端側の領域に記録する記録データの先頭のラインを指定するパラメータであり、第２記録ライン数はその領域で記憶するライン数を指定するパラメータである。
【００４４】
図９に、 本実施の形態のＰＣ１０１上の記録データ作成アプリケーションソフトウェアにより実現する処理の流れを表したフローチャートを示す。この処理は、ハードディスク装置２０２内に格納されたアプリケーションプログラムをＲＡＭ２０１上に読み出してＭＰＵ２００が実行することにより実現される。
【００４５】
ユーザの指示により本処理が起動すると、キーボード１０３およびマウス１０４より、各種処理を選択して実行可能となる。「アプリケーション終了」が選択されると（Ｓ１０１，Ｙｅｓ）、本アプリケーションを終了する。また、「記録データ保存」が選択されると（Ｓ１０２，Ｙｅｓ）、現在編集中の記録データをハードディスク装置２０２にセーブ（保存）する処理を実行する（Ｓ１０３）。また「記録データ新規作成」が選択されると（Ｓ１０４，Ｙｅｓ）、現在編集中の記録データを破棄し、記録データを新規に作成する処理を実行する（Ｓ１０５）。「記録データ読み出し」が選択されると（Ｓ１０６，Ｙｅｓ）、ハードディスク装置２０２上の別の記録データを読み出す処理を実行する（Ｓ１０７）。「フォーマット情報変更」が選択されると（Ｓ１０８，Ｙｅｓ）、フォーマット情報を変更する処理が起動され（Ｓ１０９）、フォーマットコマンド５１０内のパラメータを変更することが可能となる。例えば、記録データ内の優先度の区切り位置を設定する優先領域区切り位置パラメータ５０５や、高優先領域が上側／下側の何れなのかを設定する高優先領域指定パラメータ５０６等を設定可能である。また「イメージデータ変更」が選択されると（Ｓ１１０，Ｙｅｓ）、イメージデータ編集または別のイメージデータを読み出す等のイメージデータ変更処理を実行する（Ｓ１１１）。「記録開始」が選択されると（Ｓ１１２，Ｙｅｓ）、現在作成中の記録データをフォーマットコマンド／イメージデータコマンド／ジョブ開始コマンドのコマンドに変換し、プリンタインタフェース２０６を介して、記録装置に送出する（Ｓ１１３，Ｓ１１４，Ｓ１１５）。
【００４６】
図１０に、本実施の形態の記録装置１０６における「記録ジョブの制御処理」の流れを表したフローチャートを示す。この処理は、記録装置１０６のプログラムＲＯＭ６０１に格納された制御プログラムに基づいてＭＰＵ６００が実行する。
【００４７】
記録装置の電源が投入され、各種初期化処理が正常に行われ、データ受信可能状態になると本処理が起動される。まず、ＰＣ１０１からのフォーマットコマンドの受信をチェックする（Ｓ２０１）。フォーマットコマンドを受信すると（Ｓ２０１，Ｙｅｓ）、記録領域サイズＸ５０３と記録領域サイズＹ５０４と優先領域区切り位置５０５と高優先領域指定５０６の各種パラメータをＲＡＭ６０２の領域Ａ〜領域Ｄに保存する（Ｓ２０２）。以下ではこれらの各領域Ａ〜Ｄの値を表すパラメータとして、それぞれ同じアルファベットの変数Ａ〜Ｄを用いる。他のパラメータについても同様である。
【００４８】
次に、継続的に受信するイメージデータコマンド５２０のイメージデータ５０９を記録データとして、ジョブ開始コマンド５３０の受信までＶＲＡＭ６０３に展開する（Ｓ２０３）。記録データ展開が終了すると、警告が発生しているかをチェックする（Ｓ２０４）。警告が発生している場合（Ｓ２０４，Ｙｅｓ）、警告消去処理（Ｓ２０５）にて警告ＬＥＤ３０３を消灯させ、ＬＣＤ３００に表示されている警告表示を消去する。次に給紙ローラ４０３により、給紙部から記録媒体を１枚記録部に給紙し（Ｓ２０６）、本体部へ搬送する。さらに記録媒体は搬送ベルト４００により、記録位置に到達するまで（Ｓ２０８，Ｙｅｓ）、搬送される。尚、ＴＯＦセンサからの搬送距離を示すＧ（記録媒体位置情報）は、ＴＯＦセンサで用紙先端検出以降に１ドット搬送を駆動する度にインクリメントされる（Ｓ２０７）。記録媒体が記録開始位置に到達すると記録処理を実行する（Ｓ２０９）。
【００４９】
ステップＳ２０８の記録開始位置に到達したか否かの判定は次の判定条件に基づいて判定される。
記録開始位置到達    ：（記録ヘッドからＴＯＦまでの距離]＋先端余白  ≦  Ｇ
記録開始位置未到達  ：（記録ヘッドからＴＯＦまでの距離]＋先端余白  ＞  Ｇ
【００５０】
記録終了後は、排紙処理（Ｓ２１０）を実行する。その後、エラーが発生していれば（Ｓ２１１，Ｙｅｓ）、リセットキー３０４の押下を待つ。リセットキー３０４が押下されれば（Ｓ２１２，Ｙｅｓ）、エラー消去処理（Ｓ２１３）にてエラーＬＥＤ３０２を消灯させ、ＬＣＤ３００に表示されているエラー表示を消去する。エラーが発生していなければ（Ｓ２１１，Ｎｏ）、再度フォーマットコマンド待ちとなる（Ｓ２０１）。
【００５１】
図１１に、本実施の形態の記録装置１０６における「給紙処理」の流れを表したフローチャートを示す。この処理は、プログラムＲＯＭ６０１に格納された制御プログラムに基づきＭＰＵ６００が実行する。
【００５２】
給紙処理では、最初にＴＯＦセンサがＯＮになるまで搬送モータと給紙モータを１ドットずつ駆動する（Ｓ３０１）。ＴＯＦセンサがＯＮに変化すると（Ｓ３０２，Ｙｅｓ）、Ｅ（記録媒体サイズカウント）とＧ（記録媒体位置情報）に０を代入して初期化する（Ｓ３０３）。次にＴＯＦセンサがＯＦＦになるまで搬送モータをと給紙モータを１ドットずつ駆動させ（Ｓ３０４）、Ｅ（記録媒体サイズカウント）をインクリメントする（Ｓ３０５）。同時に、ＴＯＦセンサからの搬送距離を示すＧ（記録媒体位置情報）も、１ドット搬送を駆動する度に、インクリメントされる。ＴＯＦセンサがＯＦＦ（Ｓ３０６，Ｙｅｓ）に変化すると、ＲＡＭ６０２）上のＦ（記録可能サイズ）に「Ｅ−（先端余白＋後端余白）」で算出した記録可能サイズの値を格納する（Ｓ３０７）。
【００５３】
以下の処理はＤ（高優先領域指定）が０か否かによって分かれる。
【００５４】
Ｄ（高優先領域指定）が上側すなわち０の場合（Ｓ３０８，Ｙｅｓ）、ステップＳ３０９へ進み、下側すなわち１の場合（Ｓ３０８，Ｎｏ）、ステップＳ３１６へ進む。
【００５５】
ステップＳ３０９では、Ｃ（優先領域区切り位置）とＦ（記録可能サイズ）とを比較する。Ｃ（優先領域区切り位置）がＦ（記録可能サイズ）以下の場合（Ｓ３０９，Ｎｏ）であれば、ステップＳ３１０で、
Ｈ（第１記録ライン番号）  ＝１
Ｉ（第１記録ライン数）    ＝Ｃ
とする。
【００５６】
ついで、ステップＳ３１１でＢ（記録領域サイズＹ）とＦ（記録可能サイズ）とを比較する。Ｂ（記録領域サイズＹ）がＦ（記録可能サイズ）以下の場合（Ｓ３１１，Ｎｏ）は、記録領域全てを記録することが可能であり、記録データを変更する必要がないので、ステップＳ３１２で、
Ｊ（第２記録ライン番号）  ＝Ｃ＋１
Ｋ（第２記録ライン数）    ＝Ｂ−Ｃ
と設定して本処理を終了する。
【００５７】
また、ステップＳ３１１でＢ（記録領域サイズＹ）がＦ（記録可能サイズ）より大きい場合（Ｓ３１１，Ｙｅｓ）は、全高優先領域を記録可能であるが、低優先領域の一部を記録出来ないので、
Ｊ（第２記録ライン番号）  ＝Ｃ＋１
Ｋ（第２記録ライン数）    ＝Ｆ−Ｃ
と設定し（Ｓ３１３）、記録媒体サイズ警告表示処理（Ｓ３１４）で、警告メッセージをＬＣＤ３００に表示し、警告ＬＥＤ３０３を点灯させる。その後、本処理を終了する。
【００５８】
また、ステップＳ３０９で、Ｃ（優先領域区切り位置）がＦ（記録可能サイズ）より大きい場合（Ｓ３０９，Ｙｅｓ）は、全高優先領域を記録することが出来ないので、記録媒体サイズエラー表示処理（Ｓ３１５）でエラーメッセージをＬＣＤ３００に表示し、エラーＬＥＤ３０２を点灯させ、本処理を終了する。
【００５９】
ステップＳ３０８で、Ｄ（高優先領域指定）が１すなわち下側（Ｓ３０８，Ｎｏ）で、かつＢ（記録領域サイズＹ）がＦ（記録可能サイズ）より大きい場合（Ｓ３１６，Ｙｅｓ）、“Ｂ―Ｃ”（高優先領域サイズ）とＦ（記録可能サイズ）とを比較する（Ｓ３１７）。“Ｂ―Ｃ”（高優先領域サイズ）がＦ（記録可能サイズ）より大きい場合（Ｓ３１７，Ｙｅｓ）は、高優先領域を上側に移動しても、全高優先領域を記録することが出来ないので、記録媒体サイズエラー表示処理（Ｓ３１５）でエラーメッセージをＬＣＤ３００に表示し、エラーＬＥＤ３０２を点灯させ、本処理を終了する。
【００６０】
また、ステップＳ３１７で“Ｂ−Ｃ”（高優先領域サイズ）がＦ（記録可能サイズ）以下の場合（Ｓ３１７，Ｎｏ）、高優先領域を上側に移動すれば高優先領域を記録することができるので、高優先領域と低優先領域の記録位置の入れ替えを行う。但し、低優先領域の一部を記録出来ないので、ステップＳ３１８，Ｓ３１９で、
Ｈ（第１記録ライン番号）  ＝Ｃ＋１
Ｉ（第１記録ライン数）    ＝Ｂ―Ｃ
Ｊ（第２記録ライン番号）  ＝１
Ｋ（第２記録ライン数）    ＝Ｆ−Ｉ
と設定する。ついで、記録媒体サイズ警告表示処理（Ｓ３２０）で警告メッセージをＬＣＤ３００に表示し、警告ＬＥＤ３０３を点灯させて、本処理を終了する。
【００６１】
ステップＳ３１６でＢ（記録領域サイズＹ）がＦ（記録可能サイズ）以下の場合（Ｓ３１６，Ｎｏ）、記録領域全てを記録することが可能であり、記録データを変更する必要がないので、ステップＳ３２１で、
Ｈ（第１記録ライン番号）  ＝１
Ｉ（第１記録ライン数）    ＝Ｃ
とし、ステップＳ３２２で、
Ｊ（第２記録ライン番号）  ＝Ｃ＋１
Ｋ（第２記録ライン数）    ＝Ｂ−Ｃ
と設定して、本処理を終了する。
【００６２】
図１２に、本実施の形態の記録装置における「記録処理」の流れを表したフローチャートを示す。この処理は、プログラムＲＯＭ６０１に格納された制御プログラムをＭＰＵ６００が実行することにより実現される。
【００６３】
最初にエラーが発生しているかチェックする（Ｓ４０１）。エラーが発生している場合（Ｓ４０１，Ｙｅｓ）、記録処理を行わずに本処理を終了する。エラーが発生していなければ（Ｓ４０１，Ｎｏ）、Ｉ（第１記録ラインカウント）をチェックする（Ｓ４０２）。Ｉが０でない場合（Ｓ４０２，Ｎｏ）、１ドット搬送を駆動し（Ｓ４０３）、Ｈ（第１記録ライン番号）に設定されている番号の１ラインに対応するＶＲＡＭ６０３内の記録データを記録ヘッド４０１よりインクを吐出させて記録し（Ｓ４０４）、Ｈをインクリメントし、Ｉをデクリメントして（Ｓ４０５）、ステップＳ４０２へ戻る。
【００６４】
そこで、Ｉが０の場合（Ｓ４０２，Ｙｅｓ）、上側領域の記録が終了したことを意味する。Ｋ（第２記録ラインカウント）をチェックし、Ｋが０でない場合（Ｓ４０６，Ｎｏ）は、１ドット搬送を駆動し（Ｓ４０７）、Ｊ（第２記録ライン番号）に設定されている番号の１ラインに対応するＶＲＡＭ６０３内の記録データを記録ヘッド４０１よりインクを吐出させて記録する（Ｓ４０８）。ついで、Ｊをインクリメントし、Ｋをデクリメントして（Ｓ４０９）、ステップＳ４０６へ戻る。
【００６５】
Ｋが０の場合（Ｓ４０６，Ｙｅｓ）、下側領域の記録が終了したことを意味し、本処理を終了する。尚、ＴＯＦセンサからの搬送距離を示すＧ（記録媒体位置情報）は、１ドット搬送を駆動する度にインクリメントされる（Ｓ４０３，Ｓ４０７）。
【００６６】
図１３に、本実施の形態における記録装置において高優先領域と低優先領域の位置を入れ替えた記録媒体１３００の記録例を示す。この例では、記録媒体サイズ１３０１から先端余白１３０４と後端余白１３０６を除いた記録可能なサイズ１３０５がＢ（記録領域サイズＹ）よりも小さい為に、金券情報を記録する高優先領域１３０２と広告情報を記録する低優先領域１３０３の記録位置とを入れ替えている。この場合、低優先領域１３０３の一部領域が記録できていないので、記録装置の操作パネル１１３には警告メッセージが表示される。
【００６７】
このように、記録データサイズ（ページサイズ）に対して記録媒体の記録可能サイズが小さい場合であって、金券情報のような優先度の高い領域を記録することが出来ない場合は、広告情報のような優先度の低い領域と記録位置を変更（交換）することにより優先度の高いデータが記録可能かをチェックし、もし記録可能であれば、記録位置を変更して優先度の高いデータを優先的に記録するようにする。
【００６８】
以上説明したように、記録データサイズに対して記録媒体の記録可能サイズが小さい場合に、領域毎の優先度により記録データを所定の記録データに変更して記録を実行することができる。
【００６９】
また、以上説明した実施の形態では、記録データは記録媒体搬送路のＴＯＦセンサにて記録媒体を搬送させながら記録媒体サイズを検出する例として挙げたが、本発明はこれに限らず給紙部に搬送方向と水平な方向にラインセンサ等を装備して給紙部にセットされた記録媒体のサイズを検出する等、記録媒体のサイズ検出手段に関係なく有効である。
【００７０】
＜第２の実施の形態＞
図１４に、本発明の第２の実施の形態において、インクジェット方式のライン記録ヘッド（記録ヘッド）によるカード記録装置１４００にパーソナルコンピュータ（ＰＣ）１０１を接続した記録システムの概略構成図を示す。ＰＣ１０１については第１の実施の形態と同様である。
【００７１】
本実施の形態の記録装置１４００には、操作パネル１１３と、電源ＯＮ／ＯＦＦをコントロールする電源スイッチ１１２と、インク交換や記録媒体の詰まりを解除する時等に開閉する本体ドア１４０２と、記録媒体１０９が挿入される給紙口１４０４と、記録媒体１０９を図中の矢印方向に搬送する搬送ローラ１４０６とを装備する。この記録装置１４００は、ユーザが記録媒体を手差しで給紙口１４０４から挿入することにより記録を行う記録装置である。
【００７２】
ＰＣ１０１と記録装置１４００はプリンタケーブル１０５で接続されている。記録装置１４００は、ＰＣ１０１からプリンタケーブル１０５を介して、制御コマンドを受信し、記録データを不揮発性メモリに保存する処理等を行う。図１４では、記録装置１４００にＰＣ１０１を接続した構成を示したが、この記録装置１４００はオフラインで使用され、記録データを不揮発性メモリに保存する際にのみＰＣ１０１を接続すれば足りる。
【００７３】
本実施の形態で使用するＰＣ１０１の構成は第１の実施の形態において図２に示したものと同じである。また、本実施の形態で使用する記録装置１４００の操作パネルは第１の実施の形態において図３に示したものと同じである。
【００７４】
図１５は、本実施の形態で使用する記録装置１４００の内部の概略の機械的構成を示す断面図である。
【００７５】
記録装置１４００は、記録媒体１０９が給紙口１４０４に挿入されたのを検出する記録媒体検知センサ１５０３と、搬送ローラ１４０６を回転させる搬送モータ６０７と、搬送ローラ１４０６の駆動を受けて記録媒体１０９を搬送する搬送ベルト４００、記録媒体の位置やサイズを検出する為のＴＯＦセンサ４０５、インクを吐出させる記録ヘッド４０１、インクを記録ヘッド４０１に供給するインクタンクユニット４０２と、本体ドアの開閉を検出するドアセンサ４０４を備えている。
【００７６】
インクタンクユニット４０２は、記録ヘッド４０１とチューブ（不図示）で接続されており、回復モータを制御することにより記録ヘッドへインクを供給する。
【００７７】
記録媒体１０９が記録装置１４００の給紙口１４０４に挿入され記録媒体検知センサ１５０３により検出されると、搬送モータ６０７の回転により駆動されて回転する搬送ベルト４００により、記録媒体１０９が図中矢印で示される方向に給紙される。
【００７８】
記録媒体１０９がＴＯＦセンサ４０５により検出されると、記録媒体の搬送を停止し、予め保存されている記録データを後述するＶＲＡＭ６０３（図１７）に展開する。記録データの展開が終了すると、再び記録媒体１０９を搬送させ、記録位置に到達すると、画像形成信号に応じて記録ヘッド４０１からインクを吐出させ、記録媒体表面にインクを吹き付けて画像を形成する。
【００７９】
図１６に、本実施の形態で使用する制御コマンドの構造を示す。制御コマンドとしては、フォーマットコマンド５１０、イメージデータコマンド５２０、テキストデータコマンド５４０、およびジョブ開始コマンド５３０が用意されている。本実施の形態ではテキストデータを扱える点で第１の実施の形態と異なる。
【００８０】
図１６（ａ）に示すフォーマットコマンド５１０は、図５（ａ）に示したフォーマットコマンド５１０と同様、記録領域サイズＸ５０３、記録領域サイズＹ５０４、優先領域区切り位置５０５および高優先領域指定５０６を有する。
【００８１】
図１６（ｂ）に示すイメージデータコマンド５２０は、図５（ｂ）に示したイメージデータコマンド５２０と同様、識別コード５０１に加えて、プリントバッファに展開するイメージデータ５０９と、そのデータ長５０８を含む。
【００８２】
図１６（ｃ）に示すテキストデータコマンド５４０は、識別コード５４１に加えて、プリントバッファにテキストを展開する展開座標５４２と、文字サイズ５４３と、ボールド／イタリック等の文字修飾５４４、テキストデータの文字数５４５、およびテキストデータ５４６を含む。
【００８３】
図１６（ｄ）に示すジョブ開始コマンド５３０は、図５（ｃ）に示したジョブ開始コマンド５３０と同様、識別コード５０２のみからなり、登録データの終了を示しジョブを開始するためのコマンドである。
【００８４】
これらのコマンドをＰＣ１０１はプリンタインタフェースを介してプリンタケーブル１０５に出力する。
【００８５】
本実施の形態では、第１の実施の形態の場合と同様、記録データは記録媒体搬送方向に並ぶ複数の領域に分割する上側と下側の２つの領域に分割可能であり、高優先領域および低優先領域の２段階の優先度が指定できる。前述と同様、高優先領域指定５０６が「０」の場合は、優先領域区切り位置５０５で区切られた位置より上側が高優先領域であることを示し、「１」の場合は、優先領域区切り位置５０５で区切られた位置より下側が高優先領域であることを示す。
【００８６】
図１７に、本実施の形態における記録装置１４００の電気的な簡易ブロック図を示す。第１の実施の形態の図６に示した記録装置１０６と同様の構成要素には同じ参照符号を付してある。
【００８７】
マイクロプロセッサ（ＭＰＵ）６００は、電気的にブロック単位で書き換え可能な不揮発性メモリのフラッシュＲＯＭ１７０１に格納された制御プログラムを実行することにより以下の制御を実現する。
（１）入出力ポート６１０を制御して、記録媒体検知センサ１５０３により記録媒体１０９を検出すると、モータドライバ６０５を制御し、搬送モータ６０７を駆動する。
（２）ＴＯＦセンサ４０５で、搬送された記録媒体１０９を検出すると、搬送モータ６０７の駆動を止め、ＣＧ（Character Generator）ＲＯＭ１７０７に格納されたビットマップ形式のフォントデータや、フラッシュＲＯＭ１７０１に格納されたイメージデータから記録画像をＶＲＡＭ６０３に展開し、再び搬送モータ６０７を駆動する。
（３）記録装置の状態に応じて、入出力ポート６１０を介して、エラーＬＥＤ３０２、警告ＬＥＤ３０３、レディＬＥＤ３０１のＯＮ点灯／ＯＦＦ消灯の制御を行ない、ＬＣＤドライバ１７１０を制御してＬＣＤ３００にメッセージを表示する。
（４）入出力ポート６１０を介して、周期的にリセットキー３０４、電源スイッチ１１２の入力を監視する。
（５）入出力ポート６１０を制御してＴＯＦセンサ４０５で検出した記録媒体の先端位置を基準とした記録媒体位置情報に応じて、ヘッド駆動回路６０９を制御することにより、記録ヘッド４０１を駆動しインクを吐出することにより、ＶＲＡＭ６０３に展開されているイメージデータを記録媒体に記録する。
【００８８】
図１８に、本実施の形態の記録装置１４００における記録媒体の記録例を示す。本実施の形態の記録装置１４００は、矢印で示す図の上方向に記録媒体１８００を搬送して記録を行うが、強制的に先端余白１８０５と後端余白１８０６を設け、これらの領域には記録は行わない。
【００８９】
また、記録データには、上側（先に記録が行なわれる領域）の広告情報を記録する低優先領域１８０２と、下側（次に記録が行なわれる領域）の金券情報を記録する高優先領域１８０１の２つの領域が存在する。記録データはテキストデータ１８０４とイメージデータ１８０３から構成されている。フォーマットコマンド５１０で指定した記録領域サイズＸ５０３は横方向の記録領域ドット数１８０７に対応し、記録領域サイズＹ５０４は、縦方向の記録可能サイズ１８０８に対応している。
【００９０】
図１９に、本実施の形態の記録装置におけるフラッシュＲＯＭ１７０１（図１７）の内部構成を示す。
【００９１】
フラッシュＲＯＭ１７０１は、制御プログラムが格納されるプログラムエリア１９００と、記録データ保存エリア１９０１とを有する。記録データ保存エリアには、フォーマットコマンドのパラメータを保存する領域Ａ（記録領域サイズＸ）、領域Ｂ（記録領域サイズＹ）、領域Ｃ（優先領域区切り位置）、領域Ｄ（高優先領域指定）、テキストコマンドを保存する領域Ｌ（テキストコマンド保存エリア）、イメージデータコマンドを保存する領域Ｍ（イメージデータコマンド保存エリア）を設けている。
【００９２】
図２０に、本実施の形態の記録装置におけるＲＡＭ６０２（図１７）のメモリマップを示す。
【００９３】
ＲＡＭ６０２上には、ＰＣ１０１から受信したコマンドを一時的に格納する受信バッファ２０００と、作業ワークエリア２００１とを有する。作業ワークエリア２００１内には、領域Ｆ（記録終了位置カウンタ）、領域Ｇ（記録開始位置カウンタ） 、領域Ｈ（第１記録ライン番号）、領域Ｉ（第１記ライン数）、領域Ｊ（第１記録ライン番号）、領域Ｋ（第２記録ライン数）を設けている。ここで、領域Ｆ，Ｇは第１の実施の形態と異なっていることに留意されたい。
【００９４】
図２１に、本実施の形態のＰＣ上の記録データ作成アプリケーションソフトウェアの流れを表したフローチャートを示す。この処理は、ハードディスク装置２０２上のアプリケーションプログラムをＭＰＵ２００が実行することにより実現される。
【００９５】
ユーザの指示により本処理が起動すると、キーボード１０３およびマウス１０４より、各種処理を選択して実行可能となる。「アプリケーション終了」が選択されると（Ｓ５０１，Ｙｅｓ）、本アプリケーションを終了する。また、「記録データ保存」が選択されると（Ｓ５０２，Ｙｅｓ）、現在編集中の記録データをハードディスク装置２０２にセーブする記録データセーブ処理を実行する（Ｓ５０３）。「記録データ新規作成」が選択されると（Ｓ５０４，Ｙｅｓ）、現在編集中の記録データを破棄し、記録データを新規に作成する記録データ新規作成処理を実行する（Ｓ５０５）。「記録データ読み出し」が選択されると（Ｓ５０６，Ｙｅｓ）、ハードディスク装置（ＨＤＤ）２０２上の別の記録データを読み出す記録データリード処理を実行する（Ｓ５０７）。「フォーマット情報変更」が選択されると（Ｓ５０８，Ｙｅｓ）、フォーマット情報を変更するフォーマット情報変更処理が起動され（Ｓ５０９）、フォーマットコマンド５１０内のパラメータを変更することが可能となる。例えば、記録データ内の優先度の区切り位置を設定する優先領域区切り位置パラメータ５０５や、高優先領域が上側／下側の何れなのかを設定する高優先領域指定パラメータ５０６等を設定可能である。また「イメージデータ変更」が選択されると（Ｓ５１０，Ｙｅｓ）、イメージデータ編集または、別のイメージデータを読み出す等のイメージデータ変更処理を実行する（Ｓ５１１）。「テキストデータ変更」が選択されると（Ｓ５１２，Ｙｅｓ）、テキストデータ編集または、テキストデータを新規作成／削除等のテキストデータ変更処理を実行する（Ｓ５１３）。「記録データ登録」が選択されると（Ｓ５１４，Ｙｅｓ）、現在作成中の記録データをフォーマットコマンド／イメージデータコマンド／テキストデータコマンド／ジョブ開始コマンド等のコマンドに変換し、プリンタインタフェース２０６を介して、記録装置に送出する（Ｓ５１５，Ｓ５１６，Ｓ５１７）。
【００９６】
図２２に、本実施の形態における記録装置１４００による記録ジョブの制御処理の流れを表したフローチャートを示す。この処理は、フラッシュＲＯＭ１７０１に格納された制御プログラムをＭＰＵ６００が実行することにより実現される。
【００９７】
記録装置の電源が投入され、各種初期化処理が正常に行われと本処理が起動される。まず、フォーマットコマンドを受信したら（Ｓ６０１，Ｙｅｓ）、コマンド解析処理により、各種コマンドの受信および解析を行ない（Ｓ６０２）、最後にジョブ開始コマンド５３０を受信するとフラッシュＲＯＭ１７０１に各種データを保存する。
【００９８】
また、記録媒体１０９が給紙口１４０４に挿入され記録媒体検知センサで記録媒体を検出する（Ｓ６０３，ＹＥＳ）と、警告が発生しているかをチェック（Ｓ６０４）し、発生している場合（Ｓ６０４，Ｙｅｓ）は警告消去処理（Ｓ６０５）にて警告ＬＥＤ３０３を消灯させ、ＬＣＤ３００に表示されている警告表示を消去する。そして、記録媒体１０９をＴＯＦセンサまで給紙し、Ｇ（記録開始位置カウンタ）とＦ（記録終了位置カウンタ）に０を代入して初期化する（Ｓ６０６）。
【００９９】
次に記録データ展開処理（Ｓ６０７）でフラッシュＲＯＭ１７０１に保存しているイメージデータをＶＲＡＭ６０３に展開し、テキストデータに対応するビットマップデータをＣＧＲＯＭ１７０７から読み出しＶＲＡＭ６０３に展開し、フォーマットコマンドのパラメータを基に記録に必要な情報を以下のように算出してセットする。
【０１００】
記録に必要なパラメータの設定は次のとおりである。
上側に記録する領域の先頭ライン番号：Ｈ（第１記録ライン番号）  ＝  １
上側に記録する領域のライン数      ：Ｉ（第１記録ライン数）    ＝  Ｃ
下側に記録する領域の先頭ライン番号：Ｊ（第２記録ライン番号）  ＝  Ｃ＋１
下側に記録する領域のライン数      ：Ｋ（第２記録ライン数）    ＝  Ｂ−Ｃ
【０１０１】
記録データの展開処理（Ｓ６０７）が終了すると、記録媒体１０９が記録開始位置に到達するまで（Ｓ６０９，Ｙｅｓ）、１ドットずつ搬送させる（Ｓ６０８）。尚、Ｇ（記録開始位置カウンタ）は記録位置を検出する搬送量カウンタであり、本処理後から記録開始までの間、１ドット搬送する度にインクリメントされる。また、Ｆ（記録終了位置カウンタ）は記録終了位置を検出する搬送量カウンタであり、ＴＯＦセンサで記録媒体の後端検出後から記録終了までの間、１ドット搬送する度にインクリメントされる。
【０１０２】
ステップＳ６０９における記録開始位置到達の判定条件は次のとおりである
記録開始位置到達    ：（記録ヘッドからＴＯＦまでの距離）＋先端余白  ≦  Ｇ
記録開始位置未到達  ：（記録ヘッドからＴＯＦまでの距離）＋先端余白  ＞  Ｇ
【０１０３】
記録媒体が記録開始位置に到達すると（Ｓ６０９，Ｙｅｓ）、Ｄ（高優先領域指定）をチェックし、Ｄ（高優先領域指定）が０なら（Ｓ６１０，Ｙｅｓ）、高優先度が上側にある場合の記録処理（１）を実行し（Ｓ６１１）、Ｄ（高優先領域指定）が１なら（Ｓ６１０，Ｎｏ）、高優先度が下側にある場合の記録処理（２）を実行する（Ｓ６１２）。記録終了後は、排紙処理を実行し（Ｓ６１３）、記録結果確認処理で高優先度／低優先度領域の記録状態を確認し（Ｓ６１４）、必要に応じてエラー／警告処理を行ない、再度フォーマットコマンド受信待ちとなる（Ｓ６００）。
【０１０４】
図２３に、本実施の形態における「記録処理（１）」の流れを表したフローチャートを示す。この処理は、上側に高優先領域が存在する場合（Ｓ６１０，Ｙｅｓ）に、フラッシュＲＯＭ１７０１に格納された制御プログラムをＭＰＵ６００が実行することにより実現される。
【０１０５】
まず、Ｉ（第１記録ラインカウント）をチェックし、Ｉが０でない場合（Ｓ７０１，Ｎｏ）は、１ドット搬送を駆動（Ｓ７０２）し、Ｈ（第１記録ライン番号）に設定されている番号の１ラインに対応するＶＲＡＭ６０３内の記録データを記録ヘッド４０１よりインクを吐出させて記録し（Ｓ７０３）、Ｈ（第１記録ライン番号）をインクリメントし、Ｉ（第１記録ラインカウント）をデクリメントする（Ｓ７０４）。記録不可を検出したら（Ｓ７０５，Ｙｅｓ）、本処理を終了する。
【０１０６】
Ｉが０の場合（Ｓ７０１，Ｙｅｓ）は上側の高優先領域記録が正常終了を意味する。そこで、Ｋ（第２記録ラインカウント）をチェックし、Ｋが０でない場合（Ｓ７０６，Ｎｏ）、１ドット搬送を駆動し（Ｓ７０７）、Ｊ（第２記録ライン番号）に設定されている番号の１ラインに対応するＶＲＡＭ６０３内の記録データを記録ヘッド４０１よりインクを吐出させて記録し（Ｓ７０８）、Ｊをインクリメントし、Ｋをデクリメントする（Ｓ７０９）。記録不可を検出した場合（Ｓ７１０，Ｙｅｓ）は、本処理を終了する。また、Ｋが０の場合（Ｓ７０６，Ｙｅｓ）は、下側の低優先領域記録が正常に終了したことを意味し、本処理を終了する。
【０１０７】
ステップＳ７０５，Ｓ７１０における記録不可の判定条件は次のとおりである。
記録不可  ：（記録ヘッドからＴＯＦまでの距離）−後端余白  ≦  Ｆ
記録可能  ：（記録ヘッドからＴＯＦまでの距離）−後端余白  ＞  Ｆ
【０１０８】
図２４に、本実施の形態における「記録処理（２）」の流れを表したフローチャートを示す。この処理は、下側に高優先領域が存在する場合（Ｓ６１０，Ｎｏ）に、フラッシュＲＯＭ１７０１に格納された制御プログラムをＭＰＵ６００が実行することにより実現される。
【０１０９】
まずＴＯＦセンサで記録媒体を検出しているかチェックし（Ｓ８０１）、ＴＯＦセンサで記録媒体を検出していない場合（Ｓ８０１，Ｎｏ）、Ｓ８０３へ移行する。ＴＯＦセンサで記録媒体を検出している場合、ＴＯＦセンサで後端を検出チェックする（Ｓ８０２）。Ｓ８１３で全領域（低優先領域＋高優先領域）記録可能と判断されたら、ステップＳ８０３へ移行する。全領域を記録不可であれば（Ｓ８１３，Ｎｏ）、Ｓ８１４へ進む。高優先領域の記録が不可である場合は（Ｓ８１４，Ｎｏ）、本処理を終了する。高優先領域の記録が可能である場合は（Ｓ８１４，Ｙｅｓ）、高優先領域の記録を開始する。
【０１１０】
ステップＳ８０３における全領域の記録可能か否かの判定条件は次のとおりである。
残記録可能サイズ  ＝（記録ヘッドからＴＯＦまでの距離）−後端余白−Ｆ
記録可能  ：（残記録可能サイズ）  ≧  （Ｉ＋Ｋ）
記録不可  ：（残記録可能サイズ）  ＜  （Ｉ＋Ｋ）
【０１１１】
ステップＳ８０４における高優先領域の記録可能か否かの判定条件は次のとおりである。
記録可能  ：（残記録可能サイズ）  ≧  （Ｋ）
記録不可  ：（残記録可能サイズ）  ＜  （Ｋ）
【０１１２】
また、ＴＯＦセンサで後端を検出してない場合（Ｓ８０２，Ｎｏ）は、Ｉ（第１記録ラインカウント）をチェックし、Ｉが０でない場合は（Ｓ８０３，Ｎｏ）、１ドット搬送を駆動し（Ｓ８０４）、Ｈ（第１記録ライン番号）に設定されている番号の１ラインに対応するＶＲＡＭ６０３内の記録データを記録ヘッド４０１よりインクを吐出させて記録し（Ｓ８０５）、Ｈ（第１記録ライン番号）をインクリメントし、Ｉ（第１記録ラインカウント）をデクリメントする（Ｓ８０６）。記録媒体サイズによる記録不可を検出したら（Ｓ８０７，Ｙｅｓ）、本処理を終了する。
【０１１３】
また、Ｉが０の場合（Ｓ８０３，Ｙｅｓ）、上側の低優先領域記録の正常終了を意味する。そこで、Ｋ（第２記録ラインカウント）をチェックし、Ｋが０でない場合（Ｓ８０８，Ｎｏ）、１ドット搬送を駆動し（Ｓ８０９）、Ｊ（第２記録ライン番号）に設定されている番号の１ラインに対応するＶＲＡＭ６０３内の記録データを記録ヘッド４０１よりインクを吐出させて記録し（Ｓ８１０）、Ｊをインクリメントし、Ｋをデクリメントする（Ｓ８１１）。記録終了を検出した場合（Ｓ８１２，Ｙｅｓ）、本処理を終了する。また、Ｋが０の場合も（Ｓ８０８，Ｙｅｓ）、下側の高優先領域記録の正常終了を意味し、本処理を終了する。
【０１１４】
ステップＳ８０７，Ｓ８１２における記録不可の判定条件は次のとおりである。
記録不可  ：（記録ヘッドからＴＯＦまでの距離）−後端余白  ≦  Ｆ
記録可能  ：（記録ヘッドからＴＯＦまでの距離）−後端余白  ＞  Ｆ
【０１１５】
図２５に、本実施の形態における「記録結果確認処理」の流れを表したフローチャートを示す。この処理は、排紙処理（Ｓ６１３）後に、フラッシュＲＯＭ１７０１に格納された制御プログラムをＭＰＵ６００が実行することにより実現される。
【０１１６】
まず、高優先領域の記録位置をＤに基づいてチェックし、高優先領域の記録位置が上側の場合（Ｓ９０１，Ｙｅｓ）、高優先領域の記録が終了していなければ（Ｓ９０２，Ｎｏ）、記録媒体サイズエラーの表示処理（Ｓ９０３）でエラーメッセージをＬＣＤ３００に表示し、エラーＬＥＤ３０２を点灯させる。また、高優先領域の記録が終了している（Ｓ９０２，Ｙｅｓ）が、低優先領域の記録が終了していない場合（Ｓ９０４，Ｎｏ）は、記録媒体サイズ警告表示処理（Ｓ９０５）で警告メッセージをＬＣＤ３００に表示し、警告ＬＥＤ３０３を点灯させる。
【０１１７】
高優先領域の記録位置が下側の場合（Ｓ９０１，Ｎｏ）も同じく、高優先領域の記録が終了していなければ（Ｓ９０６，Ｎｏ）、記録媒体サイズエラー表示処理（Ｓ９０７）でエラーメッセージをＬＣＤ３００に表示し、エラーＬＥＤ３０２を点灯させる。また、高優先領域の記録が終了している（Ｓ９０６，Ｙｅｓ）が、低優先領域の記録が終了していない場合（Ｓ９０８，Ｎｏ）は、記録媒体サイズ警告処理（Ｓ９０９）で警告メッセージをＬＣＤ３００に表示し、警告ＬＥＤ３０３を点灯させる。エラーが発生している場合（Ｓ９１０，Ｙｅｓ）は、リセットキーが押下されるのを待ち、リセットキーが押下されると（Ｓ９１１，Ｙｅｓ）とエラーを消去処理（Ｓ９１２）にてエラーＬＥＤ３０３を消灯させ、ＬＣＤ３００に表示されているエラー表示を消去して本処理を終了する。
【０１１８】
図２６に、本実施の形態における記録装置において低優先領域の記録を中断して（すなわち記録データの一部の記録を欠落させて）高優先領域を記録した記録媒体の例を示す。この記録媒体２６００の記録例では、記録媒体サイズ２６０４から先端余白２６０５と後端余白２６０６を除いた記録可能なサイズ２６０３がＢ（記録領域サイズＹ）よりも小さい為に、広告情報を記録する低優先領域２６０１の記録を中断して、金券情報を記録する高優先領域２６０２を記録しており、低優先領域２６０１の一部領域が記録できていないので記録装置の操作パネル１１３には警告メッセージが表示される。
【０１１９】
このように記録データサイズに対して記録媒体の記録可能サイズが小さい場合であって、金券情報のような優先度の高い領域が記録することが出来ない場合は、広告情報のような優先度の低い領域の記録を中断しても優先度の高いデータを優先的に記録することにより、記録領域の優先度に応じた最適な記録処理を実現する。
【０１２０】
以上説明したように、上記の構成において記録データサイズに対して記録媒体の記録領域サイズが小さい場合、優先度の高い情報を優先的に記録することができる。
【０１２１】
＜第３の実施の形態＞
第１および第２の実施の形態では、記録データは記録媒体搬送方向に並ぶ「２つの領域」（上側と下側）に分割可能であり、「２段階の優先度」（高優先領域および低優先領域）が設定可能である場合を例として挙げたが、本発明はこれに限定されるのもではなく「３つ以上の領域」に分割可能である場合や、「３段階以上の優先度」を設定可能である場合でも有効である。
【０１２２】
第１の実施の形態において「３つの領域，３段階の優先度高優先領域，中優先領域，低優先領域」に分割する場合は、記録データサイズに対して記録媒体の記録領域サイズが小さい場合、無条件に高優先領域、中優先領域、低優先領域の順に記録位置を変更することにより実施可能である。
【０１２３】
図２７（ａ）（ｂ）に、それぞれ、本実施の形態における記録装置において全記録領域が正常に記録された場合の記録媒体２７００と、そのサイズが小さいことにより全記録領域が記録できない場合に高優先領域、中優先領域、低優先領域の順に記録位置を変更して記録した記録媒体２７０８の記録例を示す。
【０１２４】
本実施の形態では、図の上方向に記録媒体２７００，２７０８を搬送して記録を行なう。記録媒体上には、金券情報を記録する高優先領域２７０４，２７１０と、電話番号情報である中優先領域２７０３，２７１１と、広告情報を記録する低優先領域２７０２，２７１２のそれぞれ３つ領域が存在する。
【０１２５】
記録媒体搬送方向のサイズ２７０７，２７１５より先端余白２７０１，２７０９と後端余白２７０５，２７１３を引いたサイズが実際に記録可能な記録領域サイズＹ２７０６，２７１４である。本記録装置では、強制的に先端余白２７０１，２７０９と後端余白２７０５，２７１３を設け、これらの領域には記録は行わない。図２７（ａ）の記録媒体２７００は記録可能サイズ２７０６よりも記録データサイズ２７０２＋２７０３＋２７０４の方が小さいので、領域の記録位置を変更することなく全記録データを記録している。
【０１２６】
図２７（ｂ）に示した記録媒体２７０８は、記録可能サイズ２７１４よりも記録データサイズ２７１０＋２７１１＋２７１２の方が大きいので、高優先領域２７１０、中優先領域２７１１、低優先領域２７１２の順に記録位置を変更して記録することにより、優先度の高い領域を優先的に記録している。
【０１２７】
記録位置を変更した結果、最後に記録された低優先領域２７１２の一部が記録できていないので記録装置の操作パネルには警告メッセージが表示される。
【０１２８】
＜第４の実施の形態＞
第１〜３の実施の形態では、記録データは記録媒体搬送方向に並ぶ複数の（例えば「上側」と「下側」）に領域を分割した場合を例として挙げたが、本発明はこれに限定されるのもではなく搬送方向と直交する記録媒体の幅方向に並ぶ領域（例えば「左部」と「右部」）に分割した場合や、搬送方向と幅方向にそれぞれ領域を分割した場合でも有効である。
【０１２９】
本実施の形態では、搬送方向と直交する記録媒体の幅方向に並ぶ複数の領域「２つの領域，２段階の優先度（高優先領域低優先領域）」に分割する場合で、記録データ横サイズに対して記録媒体の記録可能領域横サイズが小さい場合、高優先領域、低優先領域の記録位置を変更することにより実施可能である。
【０１３０】
本実施の形態における構成は、第１の実施の形態に対して、記録媒体幅サイズの検出手段として、給紙部に記録媒体と直交する方向にラインセンサを追加したものであり、記録媒体は搬送基準２８１４を基準として搬送される。ここに、搬送基準とは、異なる幅の記録媒体の搬送時にその一端が位置合わせされる基準である。前記ラインセンサの出力信号により、記録媒体の横サイズを検出する。
【０１３１】
図２８（ａ）（ｂ）にそれぞれ、本実施の形態における記録装置において全記録データが正常に記録した場合の記録媒体２８００と、そのサイズが小さいことにより全記録データが記録できない場合に、搬送基準２８１４側から高優先領域、低優先領域の順に記録位置を変更して記録した記録媒体２８０７の記録例を示す。
【０１３２】
本実施の形態では、図の上方向に記録媒体２８００，２８０７を搬送して記録を行ない、金券情報を記録する高優先領域と、広告情報を記録する低優先領域の、それぞれ２つの領域が存在する。記録媒体幅のサイズ２８０６，２８１３より左余白２８０１，２８０８と右余白２８０４，２８１１を引いたサイズが実際の記録可能横サイズ２８０５，２８１２である。本記録装置では、強制的に左余白２８０１，２８０８と右余白２８０４，２８１１を設け、これらの領域には記録は行わない。
【０１３３】
図２８（ａ）に示した記録媒体２８００の記録例では、記録可能横サイズ２８０５よりも記録データ横サイズ２８０２＋２８０３の方が小さいので、領域の記録位置を変更することなく全記録データを記録している。
【０１３４】
図２８（ｂ）に示した記録媒体２８０７の記録例では、記録可能横サイズ２８１２よりも記録データ横サイズ２８０２＋２８０３の方が大きいので、搬送基準２８１４側から高優先領域２８１０、低優先領域２８０９の順に記録位置を変更して記録することにより、優先度の高い領域を優先的に記録している。記録位置を変更した結果、最後に記録された低優先領域２８０９の一部が記録できていないので記録装置の操作パネルには警告メッセージが表示される。
【０１３５】
＜第５の実施の形態＞
第１の実施の形態では、記録装置において記録媒体が小さいことにより全記録データが記録できない場合に高優先領域を優先的に記録可能な位置に記録するよう記録位置を変更する場合を例として挙げたが、本発明はさらに、指定した高優先領域以外の低優先領域を自動変換により縮小して記録可能領域内の収める場合でも有効である。
【０１３６】
本実施の形態では、第１の実施の形態において「記録サイズ媒体警告表示」処理部において、警告を発生させるのではなく、低優先領域を記録媒体の記録可能領域内に収まるように自動縮小することにより高優先領域の全体の記録を優先するものである。
【０１３７】
図２９に、本実施の形態における記録装置において高優先領域と低優先領域の位置を入れ替えて、さらに低優先領域を自動縮小して記録した記録媒体２９００の例を示す。
【０１３８】
記録媒体２９００の記録例では、記録媒体サイズ２９０１から先端余白２９０４と後端余白２９０６を除いた記録可能なサイズ２９０５がＢ（記録領域サイズＹ）よりも小さい為に金券情報を記録する高優先領域２９０２と広告情報を記録する低優先領域２９０３の記録位置を入れ替え、さらに低優先領域２９０３についてはその一部領域が記録できないので記録可能領域内に収まるように記録データを自動縮小して記録している。
【０１３９】
＜その他の実施の形態＞
以上、本発明の好適な実施の形態について説明したが、上記で言及した以外にも種々の変形、変更を行うことが可能である。
【０１４０】
例えば、実施の形態に応じて示した図１３，図２６〜図２９に示したような記録の形態は、記録装置１０６，１４００のいずれにおいても適用可能である。但し、図２８の記録の形態については記録装置１０６，１４００に「用紙幅サイズ検出手段」を設ける。
【０１４１】
第１〜第３の実施の形態では、記録データの上側方向に搬送する為、記録データサイズに対して記録媒体の記録領域サイズが小さい場合、優先度の高い領域を記録データの上側に配置するよう領域の配置位置を変更する場合を例として挙げた。しかし、本発明はこれに限定されるものではなく、記録データの下側方向に搬送する場合でも、有効である。例えば、第１の実施の形態において記録データの下側方向に搬送する場合は、優先度の高い領域は記録データの下側に配置を変更することにより本発明を実施可能である。
【０１４２】
また、実施の形態では、ライン記録ヘッドによるインクジェット方式のカード記録装置を例として挙げたが、本発明はこれに限らず記録ヘッドを記録媒体搬送方向（副走査方向）と直交する方向（主走査方向）にシリアルスキャンさせるインクジェット記録装置や、インクリボン等を使用する熱転写方式の記録装置や、連続紙（タグ紙，ラベル紙）を記録するラベル記録装置等、その記録方式や記録媒体の種類に関係なく有効である。
【産業上の利用可能性】
【０１４３】
本発明は、高速で生産性の高い記録装置、或いはプリペイド型の記録媒体への記録装置等に適用して好適であるが、これら以外にも幅広い分野の記録装置に利用可能である。
【図面の簡単な説明】
【０１４４】
【図１】本発明の実施の形態における記録システムの概略構成図を示す図である。
【図２】本発明の実施の形態で使用するＰＣの概略構成を表したブロック図である。
【図３】本発明の実施の形態で使用する記録装置の操作パネルを外観構成を示す図である。
【図４】本発明の実施の形態で使用する記録装置の概略構成を示す断面図を示す図である。
【図５】本発明の実施の形態で使用する制御コマンドの構造を示す図である。
【図６】本発明の実施の形態の記録装置における電気的な制御に関連した簡易ブロック図である。
【図７】本発明の実施の形態における記録装置による記録媒体の記録例を示す図である。
【図８】本発明の実施の形態の記録装置のＲＡＭのメモリマップである。
【図９】本発明の実施の形態のＰＣ上の記録データ作成アプリケーションソフトウェアにより実現する処理の流れを表したフローチャートである。
【図１０】本発明の実施の形態の記録装置における「記録ジョブの制御処理」の流れを表したフローチャートである。
【図１１】本発明の実施の形態の記録装置における「給紙処理」の流れを表したフローチャートである。
【図１２】本発明の実施の形態の記録装置における「記録処理」の流れを表したフローチャートである。
【図１３】本発明の実施の形態における記録装置において高優先領域と低優先領域の位置を入れ替えた記録媒体の記録例を示す図である。
【図１４】本発明の第２の実施の形態における記録システムの概略構成図を示す図である。
【図１５】本発明の第２の実施の形態で使用する記録装置の内部の概略の機械的構成を示す断面図である。
【図１６】本発明の第２の実施の形態で使用する制御コマンドの構造を示す図である。
【図１７】本発明の第２の実施の形態の記録装置における電気的な簡易ブロック図を示す図である。
【図１８】本発明の第２の実施の形態の記録装置における記録媒体の記録例を示す図である。
【図１９】本発明の第２の実施の形態の記録装置におけるフラッシュＲＯＭ（図１７）の内部構成を示す図である。
【図２０】本発明の第２の実施の形態の記録装置におけるＲＡＭ（図１７）のメモリマップを示す。
【図２１】本発明の第２の実施の形態のＰＣ上の記録データ作成アプリケーションソフトウェアの流れを表したフローチャートである。
【図２２】実施の形態における記録装置による記録ジョブの制御処理の流れを表したフローチャートである。
【図２３】本発明の第２の実施の形態における「記録処理（１）」の流れを表したフローチャートである。
【図２４】本発明の第２の実施の形態における「記録処理（２）」の流れを表したフローチャートである。
【図２５】本発明の第２の本実施の形態における「記録結果確認処理」の流れを表したフローチャートである。
【図２６】本発明の第２の実施の形態における記録装置において低優先領域の記録を中断して、高優先領域を記録した記録媒体の例を示す図である。
【図２７】本発明の第３の実施の形態の記録装置において全記録領域が正常に記録された場合の記録媒体と、記録媒体が小さいことにより全記録領域が記録できない場合の記録媒体の例を示す図である。
【図２８】本発明の第４の実施の形態における記録装置において全記録データが正常に記録した場合の記録媒体と、記録媒体が小さいことにより全記録データが記録できない場合の記録媒体の例を示す図である。
【図２９】本発明の第５の実施の形態における記録装置において高優先領域と低優先領域の位置を入れ替えて、さらに低優先領域を自動縮小して記録した記録媒体の例を示した図である。
【符号の説明】
【０１４５】
８１…受信バッファ
８２…作業ワークエリア
１０２…表示部
１０３…キーボード
１０４…マウス
１０５…プリンタケーブル
１０６…記録装置
１０７…給紙部
１０８…排紙部
１０９…記録媒体
１１０…記録媒体
１１１…本体ドア
１１２…電源スイッチ
１１３…操作パネル
１１４…記録部
２０２…ハードディスク装置
２０３…ビデオコントローラ
２０４…キーボードインタフェース
２０５…マウスインタフェース
２０６…プリンタインタフェース
３０１…レディＬＥＤ
３０２…エラーＬＥＤ
３０３…エラーＬＥＤ
３０３…警告ＬＥＤ
３０４…リセットキー
４００…搬送ベルト
４０１…記録ヘッド
４０２…インクタンクユニット
４０３…給紙ローラ
４０４…ドアセンサ
４０５…センサ
１３００…記録媒体
１３０１…記録媒体サイズ
１３０２…高優先領域
１３０３…低優先領域
１３０４…先端余白
１３０５…サイズ
１３０６…後端余白
【図２】
2008194880.tif 000003
【図３】
2008194880.tif 000004
【図４】
2008194880.tif 000005
【図５】
2008194880.tif 000006
【図６】
2008194880.tif 000007
【図７】
2008194880.tif 000008
【図８】
2008194880.tif 000009
【図９】
2008194880.tif 000010
【図１０】
2008194880.tif 000011
【図１１】
2008194880.tif 000012
【図１２】
2008194880.tif 000013
【図１３】
2008194880.tif 000014
【図１５】
2008194880.tif 000015
【図１６】
2008194880.tif 000016
【図１７】
2008194880.tif 000017
【図１８】
2008194880.tif 000018
【図１９】
2008194880.tif 000019
【図２０】
2008194880.tif 000020
【図２１】
2008194880.tif 000021
【図２２】
2008194880.tif 000022
【図２３】
2008194880.tif 000023
【図２４】
2008194880.tif 000024
【図２５】
2008194880.tif 000025
【図２６】
2008194880.tif 000026
【図２７】
2008194880.tif 000027
【図２８】
2008194880.tif 000028
【図２９】
2008194880.tif 000029
【図１】
2008194880.tif 000030
【図１４】
2008194880.tif 000031